(57)【要約】【課題】交換部品の交換作業をユーザが行う場合であっても、その交換作業が正確且つ確実に行われるようにする技術を提供する。【解決手段】交換部品の新旧交換が必要になると、新品に設置されたコードナンバー保持部１００のコードナンバーを原稿読取部４に読み取らせる作業の実施をユーザに指示し、このコードナンバーが原稿読取部４に読み取られると、このコードナンバーがコードナンバー記憶部３１６に記憶されていないものであるか否か、すなわち、コードナンバーが前記原稿読取部４に読み取られた交換部品が新品であるか否かを判断し、コードナンバーがコードナンバー記憶部３１６に記憶されているものである（コードナンバーが原稿読取部４に読み取られた交換部品が旧品である）と判断すると、その旨を報知するようにした。【選択図】図３
2011069916.tif 000002
【特許請求の範囲】
【請求項１】
画像処理装置に装着される交換部品に設置され、交換部品の個体を識別するための識別情報を保持する識別情報保持部と、
前記交換部品の使用回数をカウントするカウント部と、
前記カウント部のカウント値に基づいて前記交換部品の新旧交換の要否を判断する交換要否判断部と、
前記識別情報保持部が保持している識別情報を読み取る識別情報読取部と、
前記交換要否判断部により前記交換部品の新旧交換が必要と判断されると、新たに装着すべき使用履歴の無い交換部品の前記識別情報保持部が保持している識別情報を前記識別情報読取部に読み取らせる作業の実施を指示する第１指示部と、
交換前の時点で前記画像処理装置に装着されている方の交換部品の識別情報を予め記憶している識別情報記憶部と、
前記第１指示部の指示に基づいて前記識別情報読取部により読み取られた識別情報が前記識別情報記憶部に記憶されているものであるか否かを判断する第１判断部と、
前記第１指示部の指示に基づいて前記識別情報読取部により読み取られた識別情報が前記識別情報記憶部に記憶されているものであると前記第１判断部により判断されると、該識別情報をもつ交換部品は、新たに装着すべき使用履歴の無い交換部品ではない旨を報知する第１報知処理部と
を備える画像処理装置用の交換部品管理システム。
【請求項２】
前記第１指示部の指示に基づいて前記識別情報読取部により読み取られた識別情報が前記識別情報記憶部に記憶されていないものであると前記第１判断部により判断されると、該識別情報が読み取られた交換部品を当該画像処理装置に装着する旨の指示を行った後、前記交換部品の新旧交換のため取り外された方の交換部品に設置された前記識別情報保持部が保持している識別情報を前記識別情報読取部に読み取らせる作業の実施を指示する第２指示部と、
前記第２指示部の指示に基づいて前記識別情報読取部により読み取られた識別情報が前記識別情報記憶部に記憶されているものであるか否かを判断する第２判断部と、
前記第２指示部の指示に基づいて前記識別情報読取部により読み取られた識別情報が前記識別情報記憶部に記憶されているものではないと前記第２判断部により判断されると、該識別情報をもつ交換部品は、前記新旧交換が必要と判断された交換部品ではない旨を報知する第２報知処理部と
を更に備える請求項１に記載の画像処理装置用の交換部品管理システム。
【請求項３】
前記カウント部は、前記第２指示部の指示に基づいて前記識別情報読取部により読み取られた識別情報が前記識別情報記憶部に記憶されているものであると前記第２判断部により判断されると、カウント値をクリアする請求項２に記載の画像処理装置用の交換部品管理システム。
【請求項４】
前記識別情報保持部は、交換部品本体又は交換部品を梱包する箱体に設置されている請求項１乃至３の何れか一項に記載の画像処理装置用の交換部品管理システム。
【請求項５】
前記識別情報保持部は、前記識別情報を表したバーコードである請求項１乃至４の何れか一項に記載の画像処理装置用の交換部品管理システム。
【請求項６】
前記識別情報読取部は、原稿の画像を読み取る原稿読取部である請求項１乃至５の何れか一項に記載の画像処理装置用の交換部品管理システム。
【発明の詳細な説明】
【技術分野】
【０００１】
本発明は、複合機や複写機などの画像処理装置の技術分野に関し、特に、交換部品の管理に関するものである。
【背景技術】
【０００２】
複合機や複写機などの画像処理装置には、感光体ドラムや現像器など寿命を有する部品（以下、交換部品という）が搭載されているため、この種の装置においては、通常、交換部品が寿命に近づいたり達したりすると、ユーザやサービスマンにその旨を報知する処理を行う。
【０００３】
一般的に、交換部品が寿命に近づいたり達したりしているか否かは、その交換部品の使用回数や印字回数に基づいて判断され、また、交換部品の使用回数や印字回数は、画像処理装置の主電源をオフにした場合でもその検出値が保持されるように、ＥＥＰＲＯＭなどの不揮発性のＲＯＭを用いて記憶される。
【０００４】
ここで、不揮発性のＲＯＭは、交換部品側に搭載される場合と装置本体側に搭載される場合とがあるが、前者の場合は、交換部品ごとに不揮発性のＲＯＭが必要となりコストの増大を招来する可能性があることから、この点を考慮して、不揮発性のＲＯＭを装置本体側に搭載する手段が採用されることがある。
【０００５】
一方、下記特許文献１には、履歴の内容（使用回数）に応じた帯電チャージャへの電流値を予め記憶しておくとともに、再利用の履歴（使用回数）を表示したバーコードラベルを帯電部に貼付しておき、該バーコードラベルのバーコードを読み取り、帯電チャージャへの電流値を、該バーコードが示す履歴の内容（使用回数）に応じた電流値に設定する点が開示されている。
【０００６】
また、下記特許文献２には、交換可能部品を画像読取手段でスキャンし、そのスキャン画像に基づいて、前記交換可能部品が当該画像形成装置に適合しているか否かを判定する点が開示されている。
【０００７】
また、下記特許文献３には、感光体ベルトの一側縁に、当該感光体ベルトのシリアルナンバーと、トナーの色情報と、当該感光体ベルトの感度情報とをもたせ、プリンタ本体のリセット時や感光体の交換時にバーコードの情報を取り込み、バーコードの情報に含まれるユニットシリアルナンバーと、ＥＥＰＲＯＭに保存されているユニットシリアルナンバーとを比較し、異なる場合は、ユニットシリアルナンバーの更新や使用時間のクリアを行う点が開示されている。
【０００８】
また、下記特許文献４には、トナーカートリッジ内のトナーの有無を予測する技術が開示されている。
【先行技術文献】
【特許文献】
【０００９】
【特許文献１】特開２０００−６６５５４号公報
【特許文献２】特開２００３−１６２１８７号公報
【特許文献３】特開平３−２１０５７３号公報
【特許文献４】特開平３−１７１０７０号公報
【発明の概要】
【発明が解決しようとする課題】
【００１０】
ところで、従来、複写機や複合機などの画像読取装置や画像形成装置の寿命を有する部品を交換する作業は主にサービスマンが行っているが、近年では、保守費やサービス費の低減のため、重大な不具合を除く交換等の簡易な作業をユーザ側で実施する内容のサービスを提供する場合がある。
【００１１】
ところが、ユーザによる交換作業は、サービスマンによる作業と比較して確実性に欠ける傾向にあり、前記交換部品の新旧交換のため取り外した方の交換部品（旧品）を再度装置に装着したり、交換部品の交換後に、交換部品の使用回数（印字回数）の計測値をクリアするのを忘れたりすることが多々ある。
【００１２】
本発明は、このような事情に鑑みて為された発明であり、交換部品の交換作業をユーザが行う場合であっても、その交換作業が正確且つ確実に行われるようにする技術を提供することを目的とする。
【課題を解決するための手段】
【００１３】
請求項１に記載の発明は、画像処理装置に装着される交換部品に設置され、交換部品の個体を識別するための識別情報を保持する識別情報保持部と、前記交換部品の使用回数をカウントするカウント部と、前記カウント部のカウント値に基づいて前記交換部品の新旧交換の要否を判断する交換要否判断部と、前記識別情報保持部が保持している識別情報を読み取る識別情報読取部と、前記交換要否判断部により前記交換部品の新旧交換が必要と判断されると、新たに装着すべき使用履歴の無い交換部品の前記識別情報保持部が保持している識別情報を前記識別情報読取部に読み取らせる作業の実施を指示する第１指示部と、交換前の時点で前記画像処理装置に装着されている方の交換部品の識別情報を予め記憶している識別情報記憶部と、前記第１指示部の指示に基づいて前記識別情報読取部により読み取られた識別情報が前記識別情報記憶部に記憶されているものであるか否かを判断する第１判断部と、前記第１指示部の指示に基づいて前記識別情報読取部により読み取られた識別情報が前記識別情報記憶部に記憶されているものであると前記第１判断部により判断されると、該識別情報をもつ交換部品は、新たに装着すべき使用履歴の無い交換部品ではない旨を報知する第１報知処理部とを備える画像処理装置用の交換部品管理システムである。
【００１４】
この発明によれば、前記交換要否判断部により前記交換部品の新旧交換が必要と判断されると、第１指示部により、新たに装着すべき使用履歴の無い交換部品の前記識別情報保持部が保持している識別情報を前記識別情報読取部に読み取らせる作業の実施が指示され、前記第１指示部の指示に基づいて前記識別情報読取部により識別情報が読み取られると、この識別情報が前記識別情報記憶部に記憶されているものであるか否か、すなわち、識別情報が前記識別情報読取部に読み取られた交換部品が、使用履歴のある交換部品（旧品）であるか否かが第１判断部により判断される。
【００１５】
そして、前記識別情報が前記識別情報記憶部に記憶されているものである（識別情報が前記識別情報読取部に読み取られた交換部品が、使用履歴のある交換部品（旧品）である）と前記第１判断部により判断されると、第１報知処理部により、該識別情報をもつ交換部品は、新たに装着すべき使用履歴の無い交換部品ではない旨が報知される。
【００１６】
このような処理により、新品と旧品との区別を強く認識させつつ交換作業をユーザに行わせることができ、ユーザが、誤って、前記交換部品の新旧交換のため取り外した方の交換部品（旧品）を画像処理装置に再度装着するのをできるだけ防止することができる。
【００１７】
請求項２に記載の発明は、請求項１に記載の画像処理装置用の交換部品管理システムにおいて、前記第１指示部の指示に基づいて前記識別情報読取部により読み取られた識別情報が前記識別情報記憶部に記憶されていないものであると前記第１判断部により判断されると、該識別情報が読み取られた交換部品を当該画像処理装置に装着する旨の指示を行った後、前記交換部品の新旧交換のため取り外された方の交換部品に設置された前記識別情報保持部が保持している識別情報を前記識別情報読取部に読み取らせる作業の実施を指示する第２指示部と、前記第２指示部の指示に基づいて前記識別情報読取部により読み取られた識別情報が前記識別情報記憶部に記憶されているものであるか否かを判断する第２判断部と、前記第２指示部の指示に基づいて前記識別情報読取部により読み取られた識別情報が前記識別情報記憶部に記憶されているものではないと前記第２判断部により判断されると、該識別情報をもつ交換部品は、前記新旧交換が必要と判断された交換部品ではない旨を報知する第２報知処理部とを更に備えるものである。
【００１８】
この発明によれば、前記第１指示部の指示に基づいて前記識別情報読取部により読み取られた識別情報が前記識別情報記憶部に記憶されていないものであると前記第１判断部により判断されると、該識別情報が読み取られた交換部品を当該画像処理装置に装着する旨の指示を行うようにしたので、ユーザが、前記第１指示部の指示に基づいて新品に設置された識別情報保持部の識別情報を前記識別情報読取部に読み取らせた後に、誤って、前記交換部品の新旧交換のため取り外した方の交換部品（旧品）を画像処理装置に再度装着するのをできるだけ防止することができる。
【００１９】
また、交換部品の新旧交換のため取り外された方の交換部品に設置された前記識別情報保持部が保持している識別情報を前記識別情報読取部に読み取らせる作業の実施を指示し、この指示に基づいて前記識別情報読取部により読み取られた識別情報が前記識別情報記憶部に記憶されているものではない場合は、該識別情報をもつ交換部品は、前記新旧交換が必要と判断された交換部品ではない旨を報知するようにしたので、ユーザが、前記のように誤って旧品を画像処理装置に再度装着した場合に、誤った交換作業を行っていることをユーザに認識させて、旧品が誤って画像処理装置に装着されたままの状態で画像処理装置が再び稼働するという状態が発生するのをできるだけ防止することができる。
【００２０】
請求項３に記載の発明は、請求項２に記載の画像処理装置用の交換部品管理システムにおいて、前記カウント部は、前記第２指示部の指示に基づいて前記識別情報読取部により読み取られた識別情報が前記識別情報記憶部に記憶されているものであると前記第２判断部により判断されると、カウント値をクリアするものである。
【００２１】
この発明によれば、前記識別情報読取部により読み取られた識別情報が前記識別情報記憶部に記憶されているものであると前記第２判断部により判断されると、前記カウント部は、カウント値をクリアするようにしたので、交換部品の交換後に、交換部品の使用回数の計測値がクリアされることなくカウントされ続けるのを確実に防止することができる。
【００２２】
請求項１乃至３の何れか一項に記載の画像処理装置用の交換部品管理システムにおいて、前記識別情報保持部は、請求項４に記載の発明のように、交換部品本体又は交換部品を梱包する箱体に設置するとよい。
【００２３】
請求項１乃至４の何れか一項に記載の画像処理装置用の交換部品管理システムにおいて、前記識別情報保持部を、例えば請求項５に記載の発明のように、前記識別情報を表したバーコードとするとよい。
【００２４】
また、請求項１乃至５の何れか一項に記載の画像処理装置用の交換部品管理システムにおいて、前記識別情報読取部として、例えば請求項６に記載の発明のように、原稿の画像を読み取る原稿読取部とするとよい。これにより、原稿の画像を読み取る原稿読取部が画像処理装置に設置されている場合に、原稿読取部とは別に前記識別情報読取部を設ける場合に比して、交換部品管理システムの大規模化やコストアップを抑制することができる。
【発明の効果】
【００２５】
本発明によれば、ユーザが、誤って、前記交換部品の新旧交換のため取り外した方の交換部品（旧品）を画像処理装置に再度装着するのをできるだけ防止することができるとともに、交換部品の交換後に、カウント値（交換部品の使用回数（印字回数）の計測値）がクリアされることなくカウントされ続けるのを防止することができる。その結果、交換部品の交換作業をユーザが行う場合であっても、その交換作業が正確且つ確実に行われるようにすることができる。
【図面の簡単な説明】
【００２６】
【図１】本発明に係る交換部品管理システムを搭載する複合機の内部構成を示す側面図である。
【図２】複合機の電気的な構成を示すブロック図である。
【図３】制御部の交換処理を示すフローチャートである。
【図４】制御部の交換処理を示すフローチャートである。
【図５】画像処理装置に搭載される各種の交換部品のうち交換時期に近づいた交換部品を報知する交換報知画面の一例を示す図である。
【図６】画像処理装置で実施させる処理の処理内容を設定するための設定画面を示す図である。
【図７】新品に設置されているコードナンバー保持部が保持するコードナンバーを原稿読取部で読み取らせる作業の実施を指示するための読取作業指示画面を示す図である。
【図８】今回コードナンバーが読み取られた交換部品が、図３に示すフローチャートのステップ♯１で交換の必要があると判断した交換部品ではない旨を報知する報知画面を示す図である。
【図９】新品の装着指示を行うための報知画面を示す図である。
【図１０】旧品に設置されているコードナンバーを原稿読取部で読み取らせる作業の実行指示を行う報知画面を示す図である。
【図１１】コードナンバー保持部の設置態様を示す図である。
【図１２】コードナンバー記憶部の記憶内容を示す図である。
【発明を実施するための形態】
【００２７】
以下、本発明に係る交換部品管理システムの実施形態について図面を参照しながら説明する。図１は、本発明に係る交換部品管理システムを搭載する複合機（画像処理装置の一例）の内部構成を示す側面図である。
【００２８】
図１に示すように、複合機１は、コピーモード、プリンタモード、スキャナモード及びファクシミリモード等の各モードを備えており、本体部２と、本体部２の左方に配設されたスタックトレイ３と、本体部２の上部に配設された原稿読取部４と、原稿読取部４の上方に配設された原稿給送部５とを有している。
【００２９】
原稿読取部４は、ＣＣＤ(Charge Coupled Device)センサ及び露光ランプ等からなるスキャナ部６と、ガラス等の透明部材により構成された原稿台７と、原稿読取スリット８とを備える。スキャナ部６は、図略の駆動部によって移動可能に構成され、原稿台７に載置された原稿を読み取るときは、原稿台７に対向する位置で原稿面に沿って移動され、原稿画像を走査しつつ取得した画像データを図略の画像処理部へ出力する。また、原稿給送部５により給送された原稿を読み取るときは、原稿読取スリット８と対向する位置に移動され、原稿読取スリット８を介して原稿給送部５による原稿の搬送動作と同期して原稿の画像を取得し、その画像データを上記画像処理部へ出力する。
【００３０】
原稿給送部５は、原稿を載置するための原稿載置部９と、画像読み取り済みの原稿を排出するための原稿排出部１０と、原稿載置部９に載置された原稿を１枚ずつ繰り出して原稿読取スリット８に対向する位置へ搬送し、原稿排出部１０へ排出するための給紙ローラ（図略）、搬送ローラ（図略）等からなる原稿搬送機構１１を備える。原稿搬送機構１１は、さらに原稿を表裏反転させて原稿読取スリット８と対向する位置へ再搬送する用紙反転機構（図略）を備え、原稿の両面の画像を、原稿読取スリット８を介してスキャナ部６から読取可能にしている。
【００３１】
原稿給送部５は、その前面側が上方に移動可能となるように本体部２に対して回動自在に設けられている。原稿給送部５の前面側を上方に移動させて原稿台７の上面を開放することにより、該原稿台７の上面に読み取り原稿、例えば見開き状態にされた書籍等を操作者が載置できるようになっている。
【００３２】
本体部２は、複数の給紙カセット１２と、給紙カセット１２から記録紙を１枚ずつ繰り出して後述の画像形成部１４へ搬送する給紙ローラ１３と、給紙カセット１２から搬送されてきた記録紙に画像を形成する画像形成部１４とを備える。
【００３３】
画像形成部１４は、スキャナ部６等で取得された画像データに基づきレーザ等を出力して感光体ドラム１５を露光する光走査装置１６と、感光体ドラム１５の表面に形成された静電潜像を顕像化して画像を形成する現像部１７と、感光体ドラム１５上に形成された画像を記録紙に転写する転写部１８と、画像が転写された記録紙を加熱して該画像を記録紙に定着させる定着部１９と、画像形成部１４内の用紙搬送路中に設けられ、記録紙をスタックトレイ３又は排出トレイ２２まで搬送する搬送ローラ２０，２１等とを備える。
【００３４】
記録紙の両面に画像を形成する場合は、画像形成部１４で記録紙の一方の面に画像を形成した後、この記録紙を排出トレイ２２側の搬送ローラ２０にニップされた状態とする。この状態で搬送ローラ２０を反転させて記録紙をスイッチバックさせ、記録紙を用紙搬送路Ｌに送って画像形成部１４の上流域に再度搬送し、画像形成部１４により他方の面に画像を形成した後、記録紙をスタックトレイ３又は排出トレイ２２に排出する。
【００３５】
複合機１のフロント部には、操作部２３が設けられている。操作部２３には、ユーザが印刷実行指示や読取実行指示を入力するためのスタートキー２４と、印刷部数等を入力するためのテンキー２５と、各種複写動作の操作ガイド情報等を表示し、これら各種設定入力用にタッチパネル機能を有する液晶ディスプレイ等からなる表示部２６と、表示部２６で設定された設定内容等をリセットするリセットキー２７と、実行中の印刷（画像形成）動作を停止させるためのストップキー２８と、コピー機能、プリンタ機能、スキャナ機能及びファクシミリ機能を切り換えるための機能切換キー２９とが備えられている。
【００３６】
図２は、複合機１の電気的な構成を示すブロック図である。なお、図１に示す構成と同一の構成については同一の番号を付してその説明を省略する。
【００３７】
図２に示すように、複合機１は、前述した原稿読取部４、原稿給送部５、画像形成部１４及び操作部２３に加えて、通信部３０と、制御部３１とを備える。通信部３０は、各種のデータをパーソナルコンピュータなどの所定の外部機器Ｘ（図示せず）との間で通信を行うものである。
【００３８】
制御部３１は、データを一時的に保管する機能や作業領域としての機能を有するＲＡＭ（Random Access Memory）、プログラムを予め記憶するフラッシュメモリ、及び、前記プログラム等をフラッシュメモリから読み出して実行するＣＰＵを備えて構成されており、ＣＰＵとＲＡＭ及びフラッシュメモリとはデータバスを介してデータの授受を行うように構成されている。ＣＰＵは、フラッシュメモリに格納されているプログラムを適宜実行することで、そのプログラムの内容に応じた処理を実行する。
【００３９】
ところで、本実施形態では、複合機１に搭載される現像部１７や感光体ドラム１５などの各交換部品には、個体の識別番号であるシリアルナンバーが割り当てられており、各交換部品は、このシリアルナンバーを用いて当該複合機１において個別に交換時期が管理・監視されている。各交換部品に割り当てられたシリアルナンバーは、例えばバーコードで表した形でコードナンバー保持部（識別情報保持部の一例）１００に保持されており、コードナンバー保持部１００は、例えば図１１（ａ）に示すように交換部品を構成する筐体（交換部品本体）の表面に貼付される形態や、図１１（ｂ）に示すように該交換部品を梱包する箱体の適所に貼付される形態で設けられている。なお、本実施形態におけるコードナンバー保持部１００は、例えばバーコードラベルとして構成され、図１１（ａ）に示す形態で設けられているものとする。
【００４０】
そして、本実施形態では、前記交換部品の交換時期が近づくと、その旨をユーザに報知し、前記コードナンバー保持部１００を用いた本件特有の交換作業をユーザに行わせるための処理を行う。
【００４１】
この処理を実施するべく、本実施形態の制御部３１は、使用回数カウント部３１１と、交換要否判断部３１２と、報知処理部３１３と、入力受付部３１４と、コードナンバー抽出部３１５と、コードナンバー記憶部３１６と、コードナンバー判断部３１７としての機能を有する。
【００４２】
使用回数カウント部３１１は、各交換部品の使用回数を交換部品ごとにカウントするものである。交換要否判断部３１２は、例えば使用回数カウント部３１１によるカウント値が更新されたときに、その更新後のカウント値が予め定められた閾値に達したか否かに基づいて前記交換部品の交換の要否を判断するものである。
【００４３】
報知処理部３１３は、前記交換要否判断部３１２により交換部品の交換が必要であると判断されるとその旨を報知したり、原稿読取部（識別情報読取部の一例）４にコードナンバーを読み取らせる作業の実施を指示したりする。また、報知処理部３１３は、後述するように原稿読取部４で読み取られたコードナンバーが、使用履歴の無い新しい交換部品（以下、新品という）のものであるのかそれとも使用済みの交換部品（以下、旧品という）のものであるのかの判断が後述するコードナンバー判断部３１７により行われた場合に、その判断結果の報知や該判断結果に応じて必要となる作業の実行指示を、例えば表示部２６での画面表示で行う。具体的な報知内容については後述する。報知処理部３１３は、第１指示部、第２指示部、第１報知処理部及び第２報知処理部に相当する。
【００４４】
入力受付部３１４は、前記報知処理部３１３の処理により表示される各種画面での操作を受け付けるものである。コードナンバー抽出部３１５は、原稿読取部４で読み取られた画像からコードナンバーを抽出するものである。コードナンバー記憶部３１６は、図１２に示すように、コードナンバー抽出部３１５により抽出されたコードナンバーを交換部品の種類で区分して記憶するものであり、識別情報記憶部に相当する。
【００４５】
コードナンバー判断部３１７は、コードナンバーが原稿読取部４により読み取られた場合に、そのコードナンバーが新品のものであるのか旧品のものであるのかの判断等を行うものである。具体的な判断内容については後述する。コードナンバー判断部３１７は、第１判断部及び第２判断部に相当する。
【００４６】
図３、図４は、制御部３１の交換処理を示すフローチャートである。
【００４７】
図３に示すように、或る交換部品の交換時期が近づいたものと交換要否判断部３１２が判断すると（ステップ♯１でＹＥＳ）、報知処理部３１３は、その旨を例えば前記交換報知画面Ｇ１で報知する（ステップ♯２）。前記交換報知画面Ｇ１の一例を図５に示す。
【００４８】
図５に示す交換報知画面Ｇ１は、当該複合機１に搭載される各種の交換部品のうち交換時期に近づいたものと交換要否判断部３１２が判断した種類の交換部品を、当該複合機１の概略構造図にその設置場所を斜線で示すことで報知するとともに、その交換部品が交換時期に近づいた旨を報知するメッセージＭ１と、該交換部品を交換するか否かを入力させるためのボタンＢ１，Ｂ２とを表示している。
【００４９】
なお、或る交換部品の交換時期が近づいたものと交換要否判断部３１２により判断されるまでの通常の期間においては、表示部２６には、当該複合機１で実施させる処理の処理内容を設定するための設定画面Ｇ２（図６参照）が表示されており、本実施形態では、或る交換部品の交換時期が近づいたものと交換要否判断部３１２により判断されると、前記設定画面Ｇ１が例えば黒色でマスクされ、その上に前記交換報知画面Ｇ２が重ねて表示される。なお、以下、交換部品の交換に関連する画面は、この交換報知画面Ｇ１と同様の表示形態で表示部２６に表示される。
【００５０】
前記交換報知画面Ｇ１において交換部品を交換する旨の入力が無い場合は（ステップ♯３でＮＯ）、所定時間が経過するまで待機し（ステップ♯４）、所定時間が経過すると（ステップ♯４でＹＥＳ）、ステップ♯２に戻る。一方、前記交換報知画面Ｇ１において交換部品を交換する旨の入力が前記入力受付部３１４により受け付けられると（ステップ♯３でＹＥＳ）、コードナンバー判断部３１７は、前記交換部品に関連するコードナンバーをコードナンバー記憶部３１６から読み出し（ステップ♯５）、図７に示す読取作業指示画面Ｇ３において、新品に設置されているコードナンバー保持部１００が保持するコードナンバーを原稿読取部４（図７では「スキャナ」と表記）で読み取らせる作業の実施をユーザに指示する（ステップ♯６）。
【００５１】
ユーザは、この指示を受けて、交換部品を、その筐体（交換部品本体）の表面に貼付されたコードナンバー保持部１００が保持するコードナンバーを原稿読取部４に向けて原稿台７上に載置し、スタートキー２４により読取実行指示を入力する。
【００５２】
この入力をトリガとしてコードナンバーが原稿読取部４で読み取られると（ステップ♯７でＹＥＳ）、前記コードナンバー判断部３１７は、この読み取られたコードナンバーに基づき、今回コードナンバーが読み取られた交換部品が、ステップ♯１で交換要否判断部３１２が交換の必要があると判断した種類の交換部品（現像部１７や感光体ドラム１５）であるか否か（今回交換すべき適正な交換部品であるか否か）を判断する（ステップ♯８）。
【００５３】
前記コードナンバー判断部３１７は、今回コードナンバーが読み取られた交換部品が、ステップ♯１で交換要否判断部３１２が交換の必要があると判断した種類の交換部品ではない（不適正な交換部品である）と判断すると（ステップ♯８でＮＯ）、例えば図８に示す報知画面Ｇ４でその旨を報知し（ステップ♯９）、ステップ♯３の処理に戻る。
【００５４】
これにより、今回交換すべき交換部品であるか否かをユーザに強く認識させつつ交換作業をユーザに行わせることができ、ユーザが、誤って、今回交換すべき交換部品でない交換部品を複合機１に再度装着するのをできるだけ防止することができる。
【００５５】
一方、前記コードナンバー判断部３１７は、今回コードナンバーが読み取られた交換部品が、ステップ♯１で交換要否判断部３１２により交換の必要があると判断された種類の交換部品である（今回交換すべき種類の交換部品である）と判断する（ステップ♯８でＹＥＳ）と、図４に示すように、原稿読取部４で読み取られたコードナンバーは旧品のコードナンバーであるか否かを判断する（ステップ♯１０）。
【００５６】
前記コードナンバー判断部３１７は、原稿読取部４で読み取られたコードナンバーは旧品のコードナンバーであると判断した場合には（ステップ♯１０でＹＥＳ）、その旨を報知した後（ステップ♯１１）、ステップ♯３の処理に戻る一方、そうでないと判断した場合には（ステップ♯１０でＮＯ）、ユーザへの新品の装着指示を例えば図９に示す報知画面Ｇ５で行う（ステップ♯１２）。
【００５７】
ユーザにより交換部品が装着されると、旧品に設置されているコードナンバー保持部１００のコードナンバーを原稿読取部４で読み取らせる作業の実行指示を、ユーザに対し例えば図１０に示す報知画面Ｇ６で行う（ステップ♯１３）。
【００５８】
ユーザは、この指示を受けて、交換部品の筐体（交換部品本体）の表面に貼付されたコードナンバー保持部１００が保持するコードナンバーを原稿読取部４に向けて交換部品を原稿台７上に載置し、スタートキー２４により読取実行指示を入力する。
【００５９】
この入力をトリガとして原稿台７上に載置されている交換部品のコードナンバーが原稿読取部４で読み取られると（ステップ♯１４でＹＥＳ）、コードナンバー判断部３１７は、この読み取られたコードナンバーが旧品のコードナンバー（コードナンバー記憶部３１６に記憶されているコードナンバー）であるか否かを判断する（ステップ♯１５）。
【００６０】
コードナンバー判断部３１７が、ステップ♯１３で読み取られたコードナンバーが旧品のコードナンバーであるべきであるのに旧品のコードナンバーではないと判断した場合には（ステップ♯１５でＮＯ）、報知処理部３１３は、その旨を例えば図８に示す報知画面Ｇ４で報知して（ステップ♯１６）、ステップ♯２の処理に戻る。
【００６１】
これにより、ユーザが、ステップ♯１２の新品の装着指示に基づき誤って旧品を複合機１に装着した場合に、誤った交換作業を行っていることをユーザに認識させて、旧品が誤って複合機１に装着されたままの状態で複合機１が再び稼働するという状態が発生するのをできるだけ防止することができる。
【００６２】
一方、コードナンバー判断部３１７が、ステップ♯１４で読み取られたコードナンバーが旧品のコードナンバーであると判断した場合には（ステップ♯１５でＹＥＳ）、交換部品の交換に係る報知処理（アナウンス）を終了するとともに、使用回数カウント部３１１は、カウント値をクリアする（ステップ♯１７）。
【００６３】
以上のように、本実施形態では、交換部品の交換前に、新品に設置されているコードナンバー保持部１００が保持するコードナンバーを原稿読取部４で読み取らせる作業の実施をユーザに指示し、該指示に基づいてコードナンバーが読み取られた交換部品が、交換の必要がある種類の交換部品と異なる場合はその旨を報知するようにしたので、今回新たに交換しようとする交換部品が、交換すべき交換部品であるか否かをユーザに強く認識させつつ交換作業をユーザに行わせることができ、ユーザが、誤って、今回交換すべき交換部品でない交換部品を複合機１に再度装着するのをできるだけ防止することができる。
【００６４】
また、前記指示に基づいてコードナンバーが読み取られた交換部品が、交換の必要がある交換部品である場合に、前記コードナンバーは旧品のコードナンバーであるか否かを判断し、そうでないと判断したときには、ユーザへの新品の装着指示を出力するようにしたので、誤って、前記交換部品の新旧交換のため取り外した方の交換部品（旧品）を複合機１に再度装着するのをできるだけ防止することができる。
【００６５】
また、前記新品の装着指示に基づき交換部品が複合機１に装着されると、交換部品の新旧交換のため取り外された方の交換部品のコードナンバーを原稿読取部４に読み取らせる作業の実施を指示し、この指示に基づいて原稿読取部４により読み取られたコードナンバーが旧品のものではない場合は、その旨を報知するようにしたので、ユーザが、誤って旧品を複合機１に再度装着した場合に、誤った交換作業を行っていることをユーザに認識させて、旧品が誤って複合機１に装着されたままの状態で複合機１が再び稼働するという状態が発生するのをできるだけ防止することができる。
【００６６】
また、前記新品の装着指示に基づき交換部品が複合機１に装着されると、交換部品の新旧交換のため取り外された方の交換部品のコードナンバーを原稿読取部４に読み取らせる作業の実施を指示し、この指示に基づいて原稿読取部４により読み取られたコードナンバーが旧品のものである場合は、使用回数カウント部３１１がカウント値をクリアするようにしたので、交換部品の交換後に、交換部品の使用回数の計測値がクリアされることなくカウントされ続けるのを確実に防止することができる。
【００６７】
なお、本実施形態においては、各交換部品に割り当てられたシリアルナンバーをバーコードで表し、前記コードナンバー保持部１００をバーコードラベルとして構成したが、本件は、特にこれに限定されるものではない。
【００６８】
また、本実施形態においては、バーコードラベルに保持されているバーコード（シリアルナンバー）を原稿読取部４で読み取るようにしたが、原稿読取部４と異なる読取部を設け、該読取部によってバーコード（シリアルナンバー）を読み取るようにしてもよい。ただし、原稿読取部４を、バーコード（シリアルナンバー）の読取りにも用いるようにすることで、原稿読取部４とは別の読取部を設ける場合に比して、交換部品管理システムの大規模化やコストアップを抑制することができる。
【００６９】
また、本件の適用対象は、複合機１に限定されず、複写機やプリンタ等の画像形成装置や画像読取装置も含まれる。
【符号の説明】
【００７０】
１  複合機
４  原稿読取部
３１  制御部
１００  コードナンバー保持部
３１１  使用回数カウント部
３１２  交換要否判断部
３１３  報知処理部
３１４  入力受付部
３１５  コードナンバー抽出部
３１６  コードナンバー記憶部
３１７  コードナンバー判断部
【図１】
2011069916.tif 000003
【図２】
2011069916.tif 000004
【図３】
2011069916.tif 000005
【図４】
2011069916.tif 000006
【図１１】
2011069916.tif 000007
【図１２】
2011069916.tif 000008
【図５】
2011069916.tif 000009
【図６】
2011069916.tif 000010
【図７】
2011069916.tif 000011
【図８】
2011069916.tif 000012
【図９】
2011069916.tif 000013
【図１０】
2011069916.tif 000014